【手続補正書】
【提出日】平成21年11月25日(2009.11.25)
【手続補正１】
【補正対象書類名】特許請求の範囲
【補正対象項目名】全文
【補正方法】変更
【補正の内容】
【特許請求の範囲】
【請求項１】
外部機器と通信を行うための通信部と、
コンテンツデータを記憶する記憶部と、
前記記憶部に記憶されているコンテンツデータを再生するための再生部と、
前記記憶部に記憶されているコンテンツデータを、外部機器からアクセス可能な第１のコンテンツデータと、外部機器からアクセス不可能な第２のコンテンツデータとに設定し、前記再生部が再生しているコンテンツデータが前記第２のコンテンツデータであった場合には、前記コンテンツデータを前記第１のコンテンツデータに変更するアクセス許可設定部と、
前記通信部を介して外部機器より前記第１のコンテンツデータの送信要求を受信したときに、前記通信部を介して前記第１のコンテンツデータを外部機器へ送信する送信部と
を備えることを特徴とする情報通信端末。
【請求項２】
前記アクセス許可設定部は、前記第１のコンテンツデータに変更された前記コンテンツデータの前記再生部による再生が終了したときに、前記コンテンツデータを前記第２のコンテンツデータに再度変更する
ことを特徴とする請求項１記載の情報通信端末。
【請求項３】
前記アクセス許可設定部は、前記再生部が再生しているコンテンツデータの外部機器からの送信要求を受信し、前記通信部を介して再生されている前記コンテンツデータを送信しているときに、再生されている前記コンテンツデータの再生が行われなくなった場合には、再生されていた前記コンテンツデータの前記外部機器への送信が完了するまでは、再生されていた前記コンテンツデータを前記第１のコンテンツデータとする
ことを特徴とする請求項２記載の情報通信端末。
【請求項４】
前記再生部が再生しているコンテンツデータに関する情報を、前記通信部を介して外部機器へ通知する通知部を
さらに備えることを特徴とする請求項１記載の情報通信端末。
【請求項５】
前記送信部は、前記第１のコンテンツデータをストリーミング形式で送信する
ことを特徴とする請求項１記載の情報通信端末。
【請求項６】
前記通信部を介して前記外部機器が現在再生中のコンテンツデータの送信要求を行うとともに、前記通信部を介して前記外部機器からのコンテンツデータを受信する受信部をさらに備え、
前記再生部は、受信した前記コンテンツデータを前記外部機器の再生と同期させて再生する
ことを特徴とする請求項１記載の情報通信端末。
【請求項７】
前記アクセス許可設定部は、プレイリストに基づいて前記記憶部に記憶されているコンテンツデータを前記第１のコンテンツデータとして設定する
ことを特徴とする請求項１記載の情報通信端末。
【請求項８】
記憶部に記憶されているコンテンツデータを、外部機器からアクセス可能な第１のコンテンツデータと、外部機器からアクセス不可能な第２のコンテンツデータとに設定するアクセス許可設定ステップと、
前記記憶部に記憶されているコンテンツデータを再生する再生ステップと、
前記再生ステップにおいて再生されているコンテンツデータが、前記第２のコンテンツデータであったときに、前記コンテンツデータを前記第１のコンテンツデータに変更する再生中コンテンツデータアクセス許可設定ステップと、
通信部を介して外部機器より前記第１のコンテンツデータの送信要求を受信したときに、前記通信部を介して前記第１のコンテンツデータを前記外部機器へ送信する送信ステップと
を含む情報通信方法。
【請求項９】
記憶部に記憶されているコンテンツデータを、外部機器からアクセス可能な第１のコンテンツデータと、外部機器からアクセス不可能な第２のコンテンツデータとに設定するアクセス許可設定ステップと、
前記記憶部に記憶されているコンテンツデータを再生する再生ステップと、
前記再生ステップにおいて再生されているコンテンツデータが、前記第２のコンテンツデータであったときに、前記コンテンツデータを前記第１のコンテンツデータに変更する再生中コンテンツデータアクセス許可設定ステップと、
通信部を介して外部機器より前記第１のコンテンツデータの送信要求を受信したときに、前記通信部を介して前記第１のコンテンツデータを前記外部機器へ送信する送信ステップと
をコンピュータに実行させる、コンピュータが読み取り可能なプログラムが記録されている記録媒体。
【請求項１０】
第１の情報通信端末と第２の情報通信端末とを備える情報通信システムにおいて、
前記第１の情報通信端末は、
前記第２の情報通信端末と通信を行うための第１の通信部と、
コンテンツデータを記憶する記憶部と、
前記記憶部に記憶されているコンテンツデータを再生するための第１の再生部と、
前記記憶部に記憶されているコンテンツデータを、前記第２の情報通信端末からアクセス可能な第１のコンテンツデータと、前記第２の情報通信端末からアクセス不可能な第２のコンテンツデータとに設定するとともに、前記第１の再生部によって再生されているコンテンツデータを前記第１のコンテンツデータに設定するアクセス許可設定部と、
前記第１の通信部を介して前記第２の情報通信端末からの前記第１のコンテンツデータの送信要求を受信したときに、前記第１のコンテンツデータを前記第２の情報通信端末へ送信するように前記第１の通信部の制御を行う送信制御部と
を備え、
前記第２の情報通信端末は、
前記第１の情報通信端末と通信を行うための第２の通信部と、
前記第２の通信部を介して、前記再生されているコンテンツデータの送信要求を前記第１の情報通信端末へ送信させ、前記第１の情報通信端末からコンテンツデータを受信させるように前記第２の通信部の制御を行う受信制御部と、
前記受信したコンテンツデータを再生するための第２の再生部と
を備える
ことを特徴とする情報通信システム。
【手続補正２】
【補正対象書類名】明細書
【補正対象項目名】０００６
【補正方法】変更
【補正の内容】
【０００６】
本発明の一側面の情報通信端末は、外部機器と通信を行うための通信部と、コンテンツデータを記憶する記憶部と、前記記憶部に記憶されているコンテンツデータを再生するための再生部と、前記記憶部に記憶されているコンテンツデータを、外部機器からアクセス可能な第１のコンテンツデータと、外部機器からアクセス不可能な第２のコンテンツデータとに設定し、前記再生部が再生しているコンテンツデータが前記第２のコンテンツデータであった場合には、前記コンテンツデータを前記第１のコンテンツデータに変更するアクセス許可設定部と、前記通信部を介して外部機器より前記第１のコンテンツデータの送信要求を受信したときに、前記通信部を介して前記第１のコンテンツデータを外部機器へ送信する送信部とを備えることを特徴とする。
【手続補正３】
【補正対象書類名】明細書
【補正対象項目名】００１６
【補正方法】変更
【補正の内容】
【００１６】
本発明の一側面の情報通信システムは、第１の情報通信端末と第２の情報通信端末とを備える情報通信システムにおいて、前記第１の情報通信端末は、前記第２の情報通信端末と通信を行うための第１の通信部と、コンテンツデータを記憶する記憶部と、前記記憶部に記憶されているコンテンツデータを再生するための第１の再生部と、前記記憶部に記憶されているコンテンツデータを、前記第２の情報通信端末からアクセス可能な第１のコンテンツデータと、前記第２の情報通信端末からアクセス不可能な第２のコンテンツデータとに設定するとともに、前記第１の再生部によって再生されているコンテンツデータを前記第１のコンテンツデータに設定するアクセス許可設定部と、前記第１の通信部を介して前記第２の情報通信端末からの前記第１のコンテンツデータの送信要求を受信したときに、前記第１のコンテンツデータを前記第２の情報通信端末へ送信するように前記第１の通信部の制御を行う送信制御部とを備え、前記第２の情報通信端末は、前記第１の情報通信端末と通信を行うための第２の通信部と、前記第２の通信部を介して、前記再生されているコンテンツデータの送信要求を前記第１の情報通信端末へ送信させ、前記第１の情報通信端末からコンテンツデータを受信させるように前記第２の通信部の制御を行う受信制御部と、前記受信したコンテンツデータを再生するための第２の再生部とを備えることを特徴とする。
【手続補正４】
【補正対象書類名】明細書
【補正対象項目名】００１７
【補正方法】変更
【補正の内容】
【００１７】
本発明の一側面の情報通信システムにおいては、第１の情報通信端末と第２の情報通信端末とを備える情報通信システムにおいて、前記第１の情報通信端末で、前記第２の情報通信端末と通信を行われ、コンテンツデータが記憶され、記憶されたコンテンツデータが再生され、記憶されたコンテンツデータが、前記第２の情報通信端末からアクセス可能な第１のコンテンツデータと、前記第２の情報通信端末からアクセス不可能な第２のコンテンツデータとに設定されるとともに、再生されているコンテンツデータが前記第１のコンテンツデータに設定され、前記第１の通信部を介して前記第２の情報通信端末からの前記第１のコンテンツデータの送信要求を受信したときに、前記第１のコンテンツデータが前記第２の情報通信端末へ送信され、前記第２の情報通信端末で、前記第１の情報通信端末と通信が行われ、前記再生されているコンテンツデータの送信要求が前記第１の情報通信端末へ送信され、前記第１の情報通信端末からコンテンツデータが受信され、前記受信されたコンテンツデータが再生される。
【手続補正５】
【補正対象書類名】明細書
【補正対象項目名】００７１
【補正方法】変更
【補正の内容】
【００７１】
電源状態通知発光部３２、電源スイッチ３３、通信状態通知発光部３４、ミュージックキー３５、HOLDスイッチ４３、および、ボリュームボタン４４は、情報通信端末１の下側側面において、図７に示されるように配置されている。
【手続補正６】
【補正対象書類名】明細書
【補正対象項目名】０１６２
【補正方法】変更
【補正の内容】
【０１６２】
図１６に示されるように、録音中状態においては、録音時間表示エリア４９１に録音時間が表示され、メッセージ表示エリア４９２には、「録音中です。録音を停止する場合は、決定ボタンを押してください（Now Recording. Push Enter to Stop.）」というメッセージが表示されている。
【手続補正７】
【補正対象書類名】明細書
【補正対象項目名】０１６８
【補正方法】変更
【補正の内容】
【０１６８】
図１８に示されるように、再生中の状態においては、録音時間表示エリア４９１に録音時間が表示されるとともに、録音された音声データ中の現在の再生位置を示す情報が表示され、メッセージ表示エリア４９２には、「再生中です。再生を一時停止する場合は、決定ボタンを押してください（Now Playing. Push Enter to Pause.）」というメッセージが表示されている。図１８に示される状態でユーザが決定ボタン２７を押下した場合、再生が一時停止され、図１７を用いて説明した再生待機状態となる。
【手続補正８】
【補正対象書類名】明細書
【補正対象項目名】０１９８
【補正方法】変更
【補正の内容】
【０１９８】
なお、ここで、ファイル交換は、基本的に、情報通信端末１の内部に記録されているすべてのデータファイルにおいて実行可能であるが、ファイル交換されるデータファイルに対して著作権保護がなされている場合、通信相手（ファイルの供給先）となる情報通信端末１が、そのデータファイルのデスクランブルキーを保有している場合などを除いて、ファイル交換で取得されたデータファイルをオープン（再生）することはできない。
【手続補正９】
【補正対象書類名】明細書
【補正対象項目名】０１９９
【補正方法】変更
【補正の内容】
【０１９９】
また、アドホックモード時のストリーミング再生においては、著作権保護されているコンテンツをストリーミング再生する場合、ストリーミング再生を行う（ファイルの供給先となる）情報通信端末１が、そのストリームファイルの再生を許可されている場合、ストリーミング再生を行う（ファイルの供給先となる）情報通信端末１が、そのストリームファイルのデスクランブルキーを保有している場合などを除いて、ファイル交換で取得されたデータファイルをオープン（再生）することはできない。
【手続補正１０】
【補正対象書類名】明細書
【補正対象項目名】０２６８
【補正方法】変更
【補正の内容】
【０２６８】
また、現在再生中の楽曲データを情報通信端末１−１へ送信している最中に、その楽曲データの再生が停止、若しくは変更されてしまった場合には、情報通信端末１−２のアクセス許可設定部９０４は、情報通信端末１−２が再生中であった楽曲データの受信を完了、若しくは終了するまでは、情報通信端末１−１に対して再生中であった楽曲データを公開コンテンツデータとして設定する。